【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信を管理するための方法であって、
第１のセットの１つまたは複数のユーザ機器（ＵＥ）のスケジューリング要求性能に関する情報をコンパイルすることと、ここにおいて、前記スケジューリング要求性能に関する情報をコンパイルすることが、
前記スケジューリング要求性能の品質レベルを決定することと、
アップリンク電力制御設定調整要求を生成することと、前記リクエストは、前記スケジューリング要求性能の前記決定された品質レベルに少なくとも部分的に基づく、を備える、
第２のセットの１つまたは複数のＵＥのアップリンク電力制御設定の調整の識別をトリガするための前記情報の少なくともサブセットを送信することと
を備える方法。
【請求項２】
調整された公称電力値を受信することと、
前記調整された公称電力値に従って前記アップリンク電力制御設定を調整することとをさらに備える、請求項１に記載の方法。
【請求項３】
電力修正差分を受信することと、
前記電力修正差分に従って前記アップリンク電力制御設定を調整することとをさらに備える、請求項１に記載の方法。
【請求項４】
電力修正命令を受信することと、
前記電力修正命令に従って前記アップリンク電力制御設定を維持することとをさらに備える、請求項１に記載の方法。
【請求項５】
前記スケジューリング要求性能の前記品質レベルを単一ビットの情報で表すことをさらに備える、請求項１に記載の方法。
【請求項６】
前記アップリンク電力制御設定の前記調整の前記識別をトリガするための前記情報の少なくともサブセットを送信することが、
前記スケジューリング要求性能の前記品質レベルを表す前記単一ビットの情報を送信することを備える、請求項５に記載の方法。
【請求項７】
前記アップリンク電力制御設定の前記調整の前記識別をトリガするための前記情報の少なくともサブセットを送信することが、
前記アップリンク電力制御調整要求を送信することを備える、請求項１に記載の方法。
【請求項８】
前記アップリンク電力制御設定の前記調整が、
スケジューリング要求のアップリンク送信のための送信電力レベルを上げるための命令、あるいはスケジューリング要求のアップリンク送信のための送信電力レベルを下げるための命令を備える、請求項１に記載の方法。
【請求項９】
前記スケジューリング要求性能に関する情報をコンパイルすることが、
失敗したスケジューリング要求の数がしきい値を満たすかどうかを決定することと、
失敗したスケジューリング要求の前記数が前記しきい値を満たすと決定すると、完全なスケジューリング要求失敗の指示を送信することとを備える、請求項１に記載の方法。
【請求項１０】
前記スケジューリング要求性能に関する情報をコンパイルすることが、
成功したスケジューリング要求に先行する失敗したスケジューリング要求の数をログすることと、
あるいは前記第１のセットの１つまたは複数のＵＥの各々の複数の成功したスケジューリング要求のうちの異なる成功したスケジューリング要求に先行する、前記第１のセットの１つまたは複数のＵＥの各々の失敗したスケジューリング要求の数に関する統計をコンパイルすることと、
あるいは少なくとも１つの失敗したスケジューリング要求を少なくとも１つの無線周波（ＲＦ）測定値と相関させることと、
あるいは少なくとも１つの失敗したスケジューリング要求を物理アップリンク制御チャネル（ＰＵＣＣＨ）フォーマットと相関させることと、
あるいは前記コンパイルされた情報の各項目に関連付けられた信頼性レベルに基づいて、前記コンパイルされた情報の項目をランク付けすることと、及び前記アップリンク電力制御設定の前記調整を生じさせるために送信のためのより高くランク付けされた項目のサブセットを選択することと
を備える、請求項１に記載の方法。
【請求項１１】
ワイヤレス通信を管理するためのユーザ機器（ＵＥ）であって、
第１のセットの１つまたは複数のユーザ機器（ＵＥ）のスケジューリング要求性能に関する情報をコンパイルするための手段と、ここにおいて、前記スケジューリング要求性能に関する情報をコンパイルするための手段が、
前記スケジューリング要求性能の品質レベルを決定するための手段と、
アップリンク電力制御設定調整要求を生成するための手段と、前記リクエストは、前記スケジューリング要求性能の前記決定された品質レベルに少なくとも部分的に基づく、を備える、
第２のセットの１つまたは複数のＵＥのアップリンク電力制御設定の調整の識別をトリガするための前記情報の少なくともサブセットを送信するための手段とを備えるユーザ機器（ＵＥ）。
【請求項１２】
調整された公称電力値を受信するための手段と、
前記調整された公称電力値に従って前記アップリンク電力制御設定を調整するための手段とをさらに備える、請求項１１に記載のＵＥ。
【請求項１３】
電力修正差分を受信するための手段と、
前記電力修正差分に従って前記アップリンク電力制御設定を調整するための手段とをさらに備える、請求項１１に記載のＵＥ。
【請求項１４】
電力修正命令を受信するための手段と、
前記電力修正命令に従って前記アップリンク電力制御設定を維持するための手段とをさらに備える、請求項１１に記載のＵＥ。
【請求項１５】
実行されたときに、請求項１から１０のうちの一つにしたがった方法を実行することを少なくとも１つのコンピュータにさせる実行可能な命令を備えるコンピュータプログラム。
【手続補正２】
【補正対象書類名】明細書
【補正対象項目名】０１４５
【補正方法】変更
【補正の内容】
【０１４５】
[0150]本開示についての以上の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明される例および設計に限定されるべきでなく、本明細書で開示される原理および新規の特徴に合致する最も広い範囲を与えられるべきである。
以下に、本願出願の当初の特許請求の範囲に記載された発明を付記する。
[Ｃ１]
ワイヤレス通信を管理するための方法であって、
第１のセットの１つまたは複数のユーザ機器（ＵＥ）のスケジューリング要求性能に関する情報をコンパイルすることと、
第２のセットの１つまたは複数のＵＥのアップリンク電力制御設定の調整の識別をトリガするための前記情報の少なくともサブセットを送信することとを備える方法。
[Ｃ２]
調整された公称電力値を受信することと、
前記調整された公称電力値に従って前記アップリンク電力制御設定を調整することとをさらに備える、Ｃ１に記載の方法。
[Ｃ３]
電力修正差分を受信することと、
前記電力修正差分に従って前記アップリンク電力制御設定を調整することとをさらに備える、Ｃ１に記載の方法。
[Ｃ４]
電力修正命令を受信することと、
前記電力修正命令に従って前記アップリンク電力制御設定を維持することとをさらに備える、Ｃ１に記載の方法。
[Ｃ５]
前記スケジューリング要求性能に関する情報をコンパイルすることが、
前記スケジューリング要求性能の品質レベルを決定することを備える、Ｃ１に記載の方法。
[Ｃ６]
前記スケジューリング要求性能の前記品質レベルを単一ビットの情報で表すことをさらに備える、Ｃ５に記載の方法。
[Ｃ７]
前記アップリンク電力制御設定の前記調整の前記識別をトリガするための前記情報の少なくともサブセットを送信することが、
前記スケジューリング要求性能の前記品質レベルを表す前記単一ビットの情報を送信することを備える、Ｃ６に記載の方法。
[Ｃ８]
前記スケジューリング要求性能に関する情報をコンパイルすることが、
前記スケジューリング要求性能の前記決定された品質レベルに少なくとも部分的に基づくアップリンク電力制御設定調整要求を生成することを備える、Ｃ５に記載の方法。
[Ｃ９]
前記アップリンク電力制御設定の前記調整の前記識別をトリガするための前記情報の少なくともサブセットを送信することが、
前記アップリンク電力制御調整要求を送信することを備える、Ｃ８に記載の方法。
[Ｃ１０]
前記アップリンク電力制御設定の前記調整が、
スケジューリング要求のアップリンク送信のための送信電力レベルを上げるための命令を備える、Ｃ１に記載の方法。
[Ｃ１１]
前記アップリンク電力制御設定の前記調整が、
スケジューリング要求のアップリンク送信のための送信電力レベルを下げるための命令を備える、Ｃ１に記載の方法。
[Ｃ１２]
前記スケジューリング要求性能に関する情報をコンパイルすることが、
失敗したスケジューリング要求の数がしきい値を満たすかどうかを決定することと、
失敗したスケジューリング要求の前記数が前記しきい値を満たすと決定すると、完全なスケジューリング要求失敗の指示を送信することとを備える、Ｃ１に記載の方法。
[Ｃ１３]
前記スケジューリング要求性能に関する情報をコンパイルすることが、
成功したスケジューリング要求に先行する失敗したスケジューリング要求の数をログすることを備える、Ｃ１に記載の方法。
[Ｃ１４]
前記スケジューリング要求性能に関する情報をコンパイルすることが、
前記第１のセットの１つまたは複数のＵＥの各々の複数の成功したスケジューリング要求のうちの異なる成功したスケジューリング要求に先行する、前記第１のセットの１つまたは複数のＵＥの各々の失敗したスケジューリング要求の数に関する統計をコンパイルすることを備える、Ｃ１に記載の方法。
[Ｃ１５]
前記スケジューリング要求性能に関する情報をコンパイルすることが、
少なくとも１つの失敗したスケジューリング要求を少なくとも１つの無線周波（ＲＦ）測定値と相関させることを備える、Ｃ１に記載の方法。
[Ｃ１６]
前記スケジューリング要求性能に関する情報をコンパイルすることが、
少なくとも１つの失敗したスケジューリング要求を物理アップリンク制御チャネル（ＰＵＣＣＨ）フォーマットと相関させることを備える、Ｃ１に記載の方法。
[Ｃ１７]
前記スケジューリング要求性能に関する情報をコンパイルすることが、
前記コンパイルされた情報の各項目に関連付けられた信頼性レベルに基づいて、前記コンパイルされた情報の項目をランク付けすることと、
前記アップリンク電力制御設定の前記調整を生じさせるために送信のためのより高くランク付けされた項目のサブセットを選択することとを備える、Ｃ１に記載の方法。
[Ｃ１８]
前記情報の前記少なくともサブセットを少なくとも１つの情報要素において送信することをさらに備える、Ｃ１に記載の方法。
[Ｃ１９]
前記情報の前記少なくともサブセットをアプリケーションデータとして送信することをさらに備える、Ｃ１に記載の方法。
[Ｃ２０]
前記情報の前記少なくともサブセットを媒体アクセス制御（ＭＡＣ）ヘッダフィールドにおいて送信することをさらに備える、Ｃ１に記載の方法。
[Ｃ２１]
前記第２のセットの１つまたは複数のＵＥが、前記第１のセットの１つまたは複数のＵＥを含む、Ｃ１に記載の方法。
[Ｃ２２]
前記第１のセットの１つまたは複数のＵＥが第１のセルにあり、前記第２のセットの１つまたは複数のＵＥが第２のセルにあり、前記第２のセルが前記第１のセルとは異なる、Ｃ１に記載の方法。
[Ｃ２３]
前記アップリンク電力制御設定が、物理アップリンク制御チャネル（ＰＵＣＣＨ）電力制御設定である、Ｃ１に記載の方法。
[Ｃ２４]
ワイヤレス通信を管理するためのユーザ機器（ＵＥ）であって、
プロセッサと、
前記プロセッサと電子通信している、命令を具現化するメモリとを備え、前記命令が、
第１のセットの１つまたは複数のユーザ機器（ＵＥ）のスケジューリング要求性能に関する情報をコンパイルし、
第２のセットの１つまたは複数のＵＥのアップリンク電力制御設定の調整の識別をトリガするための前記情報の少なくともサブセットを送信する
ように前記プロセッサによって実行可能である、ユーザ機器（ＵＥ）。
[Ｃ２５]
前記命令が、
調整された公称電力値を受信し、
前記調整された公称電力値に従って前記アップリンク電力制御設定を調整するように前記プロセッサによってさらに実行可能である、Ｃ２４に記載のＵＥ。
[Ｃ２６]
前記命令が、
電力修正差分を受信し、
前記電力修正差分に従って前記アップリンク電力制御設定を調整する
ように前記プロセッサによってさらに実行可能である、Ｃ２４に記載のＵＥ。
[Ｃ２７]
前記命令が、
電力修正命令を受信し、
前記電力修正命令に従って前記アップリンク電力制御設定を維持する
ように前記プロセッサによってさらに実行可能である、Ｃ２４に記載のＵＥ。
[Ｃ２８]
前記スケジューリング要求性能に関する情報をコンパイルするための前記命令が、
前記スケジューリング要求性能の品質レベルを決定するように前記プロセッサによってさらに実行可能である、Ｃ２４に記載のＵＥ。
[Ｃ２９]
前記命令が、
前記スケジューリング要求性能の前記品質レベルを単一ビットの情報で表すように前記プロセッサによってさらに実行可能である、Ｃ２８に記載のＵＥ。
[Ｃ３０]
前記アップリンク電力制御設定の前記調整の前記識別をトリガするための前記情報の少なくともサブセットを送信するための前記命令が、
前記スケジューリング要求性能の前記品質レベルを表す前記単一ビットの情報を送信するように前記プロセッサによってさらに実行可能である、Ｃ２９に記載のＵＥ。
[Ｃ３１]
前記スケジューリング要求性能に関する情報をコンパイルするための前記命令が、
前記スケジューリング要求性能の前記決定された品質レベルに少なくとも部分的に基づくアップリンク電力制御設定調整要求を生成するように前記プロセッサによってさらに実行可能である、Ｃ２８に記載のＵＥ。
[Ｃ３２]
前記アップリンク電力制御設定の前記調整の前記識別をトリガするための前記情報の少なくともサブセットを送信するための前記命令が、
前記アップリンク電力制御調整要求を送信するように前記プロセッサによってさらに実行可能である、Ｃ３１に記載のＵＥ。
[Ｃ３３]
前記アップリンク電力制御設定の前記調整が、
スケジューリング要求のアップリンク送信のための送信電力レベルを上げるための命令を備える、Ｃ２４に記載のＵＥ。
[Ｃ３４]
前記アップリンク電力制御設定の前記調整が、
スケジューリング要求のアップリンク送信のための送信電力レベルを下げるための命令を備える、Ｃ２４に記載のＵＥ。
[Ｃ３５]
前記スケジューリング要求性能に関する情報をコンパイルするための前記命令が、
失敗したスケジューリング要求の数がしきい値を満たすかどうかを決定し、
失敗したスケジューリング要求の前記数が前記しきい値を満たすと決定すると、完全なスケジューリング要求失敗の指示を送信するように前記プロセッサによってさらに実行可能である、Ｃ２４に記載のＵＥ。
[Ｃ３６]
前記スケジューリング要求性能に関する情報をコンパイルするための前記命令が、
成功したスケジューリング要求に先行する失敗したスケジューリング要求の数をログするように前記プロセッサによってさらに実行可能である、Ｃ２４に記載のＵＥ。
[Ｃ３７]
前記スケジューリング要求性能に関する情報をコンパイルするための前記命令が、
前記第１のセットの１つまたは複数のＵＥの各々の複数の成功したスケジューリング要求のうちの異なる成功したスケジューリング要求に先行する、前記第１のセットの１つまたは複数のＵＥの各々の失敗したスケジューリング要求の数に関する統計をコンパイルするように前記プロセッサによってさらに実行可能である、Ｃ２４に記載のＵＥ。
[Ｃ３８]
前記スケジューリング要求性能に関する情報をコンパイルするための前記命令が、
少なくとも１つの失敗したスケジューリング要求を少なくとも１つの無線周波（ＲＦ）測定値と相関させるように前記プロセッサによってさらに実行可能である、Ｃ２４に記載のＵＥ。
[Ｃ３９]
前記スケジューリング要求性能に関する情報をコンパイルするための前記命令が、
少なくとも１つの失敗したスケジューリング要求を物理アップリンク制御チャネル（ＰＵＣＣＨ）フォーマットと相関させるように前記プロセッサによってさらに実行可能である、Ｃ２４に記載のＵＥ。
[Ｃ４０]
前記スケジューリング要求性能に関する情報をコンパイルするための前記命令が、
前記コンパイルされた情報の各項目に関連付けられた信頼性レベルに基づいて、前記コンパイルされた情報の項目をランク付けし、
前記アップリンク電力制御設定の前記調整を生じさせるために送信のためのより高くランク付けされた項目のサブセットを選択するように前記プロセッサによってさらに実行可能である、Ｃ２４に記載のＵＥ。
[Ｃ４１]
前記命令が、
前記情報の前記少なくともサブセットを少なくとも１つの情報要素において送信するように前記プロセッサによってさらに実行可能である、Ｃ２４に記載のＵＥ。
[Ｃ４２]
前記命令が、
前記情報の前記少なくともサブセットをアプリケーションデータとして送信するように前記プロセッサによってさらに実行可能である、Ｃ２４に記載のＵＥ[Ｃ４３]
前記命令が、
前記情報の前記少なくともサブセットを媒体アクセス制御（ＭＡＣ）ヘッダフィールドにおいて送信するように前記プロセッサによってさらに実行可能である、Ｃ２４に記載のＵＥ。
[Ｃ４４]
前記第２のセットの１つまたは複数のＵＥが、前記第１のセットの１つまたは複数のＵＥを含む、Ｃ２４に記載のＵＥ。
[Ｃ４５]
前記第１のセットの１つまたは複数のＵＥが第１のセルにあり、前記第２のセットの１つまたは複数のＵＥが第２のセルにあり、前記第２のセルが前記第１のセルとは異なる、Ｃ２４に記載のＵＥ。
[Ｃ４６]
前記アップリンク電力制御設定が、物理アップリンク制御チャネル（ＰＵＣＣＨ）電力制御設定である、Ｃ２４に記載のＵＥ。
[Ｃ４７]
ワイヤレス通信を管理するためのユーザ機器（ＵＥ）であって、
第１のセットの１つまたは複数のユーザ機器（ＵＥ）のスケジューリング要求性能に関する情報をコンパイルするための手段と、
第２のセットの１つまたは複数のＵＥのアップリンク電力制御設定の調整の識別をトリガするための前記情報の少なくともサブセットを送信するための手段とを備えるユーザ機器（ＵＥ）。
[Ｃ４８]
調整された公称電力値を受信するための手段と、
前記調整された公称電力値に従って前記アップリンク電力制御設定を調整するための手段とをさらに備える、Ｃ４７に記載のＵＥ。
[Ｃ４９]
電力修正差分を受信するための手段と、
前記電力修正差分に従って前記アップリンク電力制御設定を調整するための手段とをさらに備える、Ｃ４７に記載のＵＥ。
[Ｃ５０]
電力修正命令を受信するための手段と、
前記電力修正命令に従って前記アップリンク電力制御設定を維持するための手段とをさらに備える、Ｃ４７に記載のＵＥ。
[Ｃ５１]
前記スケジューリング要求性能に関する情報をコンパイルするための前記手段が、
失敗したスケジューリング要求の数がしきい値を満たすかどうかを決定するための手段と、
失敗したスケジューリング要求の前記数が前記しきい値を満たすと決定すると、完全なスケジューリング要求失敗の指示を送信するための手段とを備える、Ｃ４７に記載のＵＥ。
[Ｃ５２]
前記第２のセットの１つまたは複数のＵＥが、前記第１のセットの１つまたは複数のＵＥを含む、Ｃ４７に記載のＵＥ。
[Ｃ５３]
前記第１のセットの１つまたは複数のＵＥが第１のセルにあり、前記第２のセットの１つまたは複数のＵＥが第２のセルにあり、前記第２のセルが前記第１のセルとは異なる、Ｃ４７に記載のＵＥ。
[Ｃ５４]
前記アップリンク電力制御設定が、物理アップリンク制御チャネル（ＰＵＣＣＨ）電力制御設定である、Ｃ４７に記載のＵＥ。
[Ｃ５５]
ワイヤレス通信を管理するためのコンピュータプログラム製品であって、前記コンピュータプログラム製品が、
第１のセットの１つまたは複数のユーザ機器（ＵＥ）のスケジューリング要求性能に関する情報をコンパイルし、
第２のセットの１つまたは複数のＵＥのアップリンク電力制御設定の調整の識別をトリガするための前記情報の少なくともサブセットを送信する
ようにプロセッサによって実行可能な命令を記憶する非一時的コンピュータ可読媒体を備える、コンピュータプログラム製品。
[Ｃ５６]
前記命令が、
調整された公称電力値を受信し、
前記調整された公称電力値に従って前記アップリンク電力制御設定を調整するように前記プロセッサによってさらに実行可能である、Ｃ５５に記載のコンピュータプログラム製品。
[Ｃ５７]
前記命令が、
電力修正差分を受信し、
前記電力修正差分に従って前記アップリンク電力制御設定を調整する
ように前記プロセッサによってさらに実行可能である、Ｃ５５に記載のコンピュータプログラム製品。
[Ｃ５８]
前記命令が、
電力修正命令を受信し、
前記電力修正命令に従って前記アップリンク電力制御設定を維持する
ように前記プロセッサによってさらに実行可能である、Ｃ５５に記載のコンピュータプログラム製品。
[Ｃ５９]
ワイヤレス通信を管理するための方法であって、
第１の複数のユーザ機器（ＵＥ）から、スケジューリング要求を送信するためのアップリンク電力制御設定の調整の識別をトリガするための情報を受信することと、
前記第１の複数のＵＥから受信された前記情報を解析することと、
第２の複数のＵＥのうちの少なくとも１つに対する前記アップリンク電力制御設定のための電力調整を識別することと、
前記識別された電力調整を第２の複数のＵＥのうちの前記少なくとも１つに送信することとを備える方法。
[Ｃ６０]
前記電力調整を識別することが、
前記第２の複数のＵＥのうちの前記少なくとも１つに対する調整された公称電力値を識別することを備える、Ｃ５９に記載の方法。
[Ｃ６１]
前記電力調整を識別することが、
前記第２の複数のＵＥのうちの前記少なくとも１つに対する電力修正差分を識別することを備える、Ｃ５９に記載の方法。
[Ｃ６２]
前記識別された電力調整が、前記第２の複数のＵＥのうちの前記少なくとも１つがスケジューリング要求のアップリンク送信のための送信電力を上げるための命令を備える、Ｃ５９に記載の方法。
[Ｃ６３]
前記識別された電力調整が、前記第２の複数のＵＥのうちの前記少なくとも１つがアップリンク送信のための送信電力を下げるための命令を備える、Ｃ５９に記載の方法。
[Ｃ６４]
隣接基地局によってサービスされている１つまたは複数のＵＥに前記隣接基地局へのアップリンク送信のための送信電力を低減するよう命令することを前記隣接基地局に要求するために、要求を隣接セルにサービスする前記隣接基地局に送信することをさらに備える、Ｃ５９に記載の方法。
[Ｃ６５]
前記受信された情報を前記第１の複数のＵＥのうちの少なくとも１つから抽出するように媒体アクセス制御（ＭＡＣ）ヘッダフィールドを処理することをさらに備える、Ｃ５９に記載の方法。
[Ｃ６６]
スケジューリング要求を送信するためのアップリンク電力制御設定の調整の識別をトリガするための前記情報が、
スケジューリング要求性能に関する情報を備える、Ｃ５９に記載の方法。
[Ｃ６７]
前記第１の複数のＵＥから受信された前記情報を解析することが、
完全なスケジューリング要求失敗に関する情報を前記解析から分離することを備える、Ｃ６６に記載の方法。
[Ｃ６８]
前記第１の複数のＵＥから受信された前記情報を解析することが、
物理アップリンク制御チャネル（ＰＵＣＣＨ）フォーマットに少なくとも部分的に基づいて、スケジューリング要求性能に関する前記情報を分類することを備える、Ｃ６６に記載の方法。
[Ｃ６９]
前記第２の複数のＵＥが、前記第１の複数のＵＥを含む、Ｃ５９に記載の方法。
[Ｃ７０]
前記電力調整が、前記第２の複数のＵＥの各々について識別され、前記第２の複数のＵＥの各々に送信される、Ｃ５９に記載の方法。
[Ｃ７１]
ワイヤレス通信を管理するための基地局であって、
プロセッサと、
前記プロセッサと電子通信している、命令を具現化するメモリとを備え、前記命令が、
第１の複数のユーザ機器（ＵＥ）から、スケジューリング要求を送信するためのアップリンク電力制御設定の調整の識別をトリガするための情報を受信し、
前記第１の複数のＵＥから受信された前記情報を解析し、
第２の複数のＵＥのうちの少なくとも１つに対する前記アップリンク電力制御設定のための電力調整を識別し、
前記識別された電力調整を前記第２の複数のＵＥのうちの前記少なくとも１つに送信する
ように前記プロセッサによって実行可能である、基地局。
[Ｃ７２]
前記電力調整を識別するための前記命令が、
前記第２の複数のＵＥのうちの前記少なくとも１つに対する調整された公称電力値を識別するように前記プロセッサによってさらに実行可能である、Ｃ７１に記載の基地局。
[Ｃ７３]
前記電力調整を識別するための前記命令が、
前記第２の複数のＵＥのうちの前記少なくとも１つに対する電力修正差分を識別するように前記プロセッサによってさらに実行可能である、Ｃ７１に記載の基地局。
[Ｃ７４]
前記命令が、
隣接基地局によってサービスされている１つまたは複数のＵＥに前記隣接基地局へのアップリンク送信のための送信電力を低減するよう命令することを前記隣接基地局に要求するために、要求を隣接セルにサービスする前記隣接基地局に送信するように前記プロセッサによってさらに実行可能である、Ｃ７１に記載の基地局。
[Ｃ７５]
前記命令が、
前記受信された情報を前記第１の複数のＵＥのうちの少なくとも１つから抽出するように媒体アクセス制御（ＭＡＣ）ヘッダフィールドを処理するように前記プロセッサによってさらに実行可能である、Ｃ７１に記載の基地局。
[Ｃ７６]
スケジューリング要求を送信するためのアップリンク電力制御設定の調整の識別をトリガするための前記情報が、
スケジューリング要求性能に関する情報を備える、Ｃ７１に記載の基地局。
[Ｃ７７]
前記第１の複数のＵＥから受信された前記情報を解析するための前記命令が、
完全なスケジューリング要求失敗に関する情報を前記解析から分離するように前記プロセッサによって実行可能である、Ｃ７６に記載の基地局。
[Ｃ７８]
前記第２の複数のＵＥが、前記第１の複数のＵＥを含む、Ｃ７１に記載の基地局。
[Ｃ７９]
前記電力調整が、前記第２の複数のＵＥの各々について識別され、前記第２の複数のＵＥの各々に送信される、Ｃ７１に記載の基地局。
[Ｃ８０]
ワイヤレス通信を管理するための基地局であって、
第１の複数のユーザ機器（ＵＥ）から、スケジューリング要求を送信するためのアップリンク電力制御設定の調整の識別をトリガするための情報を受信するための手段と、
前記第１の複数のＵＥから受信された前記情報を解析するための手段と、
第２の複数のＵＥのうちの少なくとも１つに対する前記アップリンク電力制御設定のための電力調整を識別するための手段と、
前記識別された電力調整を前記第２の複数のＵＥのうちの前記少なくとも１つに送信するための手段とを備える基地局。
[Ｃ８１]
前記電力調整を識別するための前記手段が、
前記第２の複数のＵＥのうちの前記少なくとも１つに対する調整された公称電力値を識別するための手段を備える、Ｃ８０に記載の基地局。
[Ｃ８２]
前記電力調整を識別するための前記手段が、
前記第２の複数のＵＥのうちの前記少なくとも１つに対する電力修正差分を識別するための手段を備える、Ｃ８０に記載の基地局。
[Ｃ８３]
隣接基地局によってサービスされている１つまたは複数のＵＥに前記隣接基地局へのアップリンク送信のための送信電力を低減するよう命令することを前記隣接基地局に要求するために、要求を隣接セルにサービスする前記隣接基地局に送信するための手段をさらに備える、Ｃ８０に記載の基地局。
[Ｃ８４]
前記受信された情報を前記第１の複数のＵＥのうちの少なくとも１つから抽出するように媒体アクセス制御（ＭＡＣ）ヘッダフィールドを処理するための手段をさらに備える、Ｃ８０に記載の基地局。
[Ｃ８５]
ワイヤレス通信を管理するためのコンピュータプログラム製品であって、前記コンピュータプログラム製品が、
第１の複数のユーザ機器（ＵＥ）から、スケジューリング要求を送信するためのアップリンク電力制御設定の調整の識別をトリガするための情報を受信し、
前記第１の複数のＵＥから受信された前記情報を解析し、
第２の複数のＵＥのうちの少なくとも１つに対する前記アップリンク電力制御設定のための電力調整を識別し、
前記識別された電力調整を第２の複数のＵＥのうちの前記少なくとも１つに送信するようにプロセッサによって実行可能である命令を記憶する非一時的コンピュータ可読媒体を備える、コンピュータプログラム製品。